(57)【特許請求の範囲】
【請求項１】
中皿部材を収納する凹部を有する容器本体と、当該容器本体の凹部との間に中皿部材の収納空間を形成する中枠部材と、容器本体に軸部材を介して回転可能に支持される蓋体とを有し、当該蓋体を開いた容器本体から中皿部材の交換が可能なコンパクト容器であって、
容器本体の凹部を軸部材側に切り欠いて切欠部を形成することで、容器本体と中枠部材との間に、中皿部材を収納するための開口部を形成し、
当該開口部の開閉扉を、前記軸部材を介して容器本体に回転可能に支持したことを特徴とするコンパクト容器。
【請求項２】
請求項１において、蓋体の内側に、当該蓋体を閉じたときに開閉扉に接触して当該開閉扉を蓋体と共に閉じる接触面を設けたことを特徴とするコンパクト容器。
【請求項３】
請求項１又は２において、開閉扉と中枠部材とにそれぞれ、互いに着脱可能に係止される係止手段を設けたことを特徴とするコンパクト容器。
【請求項４】
請求項３において、前記係止手段は、開閉扉に設けたフック部と、中枠部材に設けたフック部が嵌合する長溝からなることを特徴とするコンパクト容器。
【請求項５】
請求項４において、前記フック部の先端部に爪部を一体に設け、この爪部が引っ掛かって係止される爪部を長溝に設けたことを特徴とするコンパクト容器。
【請求項６】
請求項１乃至５のいずれか１項において、開閉扉の開口部側の側面と開口部奥の突き当たり面にそれぞれ、中皿部材を弾性保持する弾性部材を設けたことを特徴とするコンパクト容器。
【発明の詳細な説明】
【技術分野】
【０００１】
本発明は、化粧料用コンパクト容器に代表されるように、内容物を収納、充填する中皿部材を交換できるコンパクト容器に関するものである。
【背景技術】
【０００２】
化粧料用のコンパクト容器等においては、中皿部材に収納されたファンデーション等の中身を使い終わると、中皿部材全体を、新しいものに交換することが行われている。例えば、特許文献１に記載された先行技術では、容器本体に設けられた操作レバーにおける一方の係合突条が中皿部材を下向きに押し込むことで係止される一方、蓋体を開いたときに、当該蓋体の軸支部分の凹部が操作レバーにおける他方の係合片に引っ掛かることで、当該操作レバーの回動によって中皿部材を上向きに押し上げるようにしている。
【０００３】
また、特許文献２に記載された先行技術では、容器本体の底壁に、係止突条を有する押圧片が弾性変形可能に設けられ、この押圧片の弾性変形によって、中皿部材を着脱可能に係止している。更に、特許文献３に記載された先行技術では、中皿部材を収納する中枠に、弾性変形可能な弾性板を設け、この弾性板が弾性的に変形できるように係合することによって、中皿部材の着脱を可能にしている。
【先行技術文献】
【特許文献】
【０００４】
【特許文献１】実開平７−３３２０６号公報
【特許文献２】実開平７−３６９１３号公報
【特許文献３】特開平８−１１７０１９号公報
【発明の概要】
【発明が解決しようとする課題】
【０００５】
しかしながら、特許文献１に記載された先行技術では、中皿部材が操作レバーに引っ掛かって容器本体に係止されるため、中皿部材を装着するにあたって、一定の力で押し込まなければならず、中皿部材の装着性に改善の余地がある。このことは、中皿部材を着脱可能に弾性保持する特許文献２及び３に記載された先行技術についても同様である。
【０００６】
また、特許文献１に記載された先行技術では、容器本体の上側に固定された中枠部材に貫通孔を形成して、この貫通孔を通して中皿部材が収納されるため、操作レバーの係止がうまくいっていないと、蓋体を開いたときに、中皿部材が外れることが懸念される。こうした懸念も、特許文献２及び３に記載された先行技術については同様である。
【０００７】
更に、特許文献１に記載された先行技術では、蓋体を開いたときにその軸支部分に操作レバーを引っ掛けて、操作レバーを動かすことで中皿部材を押し上げる構成であることから、比較的高い寸法精度が要求される。特に、こうした寸法精度については、中皿部材が寸法誤差を生じ易い金属製である場合には顕著である。また、こうした寸法誤差は、中皿部材を着脱可能に弾性保持する特許文献２及び３に記載された先行技術についても同様である。
【０００８】
本発明の目的とするところは、材質によらずに、中皿部材の装着が容易であって、しかも、中皿部材が脱落し難い、新規なコンパクト容器を提供することにある。
【課題を解決するための手段】
【０００９】
本発明は、中皿部材を収納する凹部を有する容器本体と、当該容器本体の凹部との間に中皿部材の収納空間を形成する中枠部材と、容器本体に軸部材を介して回転可能に支持される蓋体とを有し、当該蓋体を開いた容器本体から中皿部材の交換が可能なコンパクト容器であって、
容器本体の凹部を軸部材側に切り欠いて切欠部を形成することで、容器本体と中枠部材との間に、中皿部材を収納するための凹部に通じる開口部を形成し、
当該開口部の開閉扉を、前記軸部材を介して容器本体に回転可能に支持したことを特徴とするものである。なお、本発明によれば、中皿部材は、蓋の無い部材に限定されることなく、蓋付きのものも選択できる。
【００１０】
本発明では、蓋体の内側に、当該蓋体を閉じたときに開閉扉に接触して当該開閉扉を蓋体と共に閉じる接触面を設けることができる。
【００１１】
また、本発明では、開閉扉と中枠部材とにそれぞれ、互いに着脱可能に係止される係止手段を設けることができる。係止手段としては、例えば、開閉扉に設けたフック部と、中枠部材に設けたフック部が嵌合する長溝からなるものを採用することができる。この場合、フック部の先端部に爪部を一体に設け、この爪部が引っ掛かって係止される爪部を長溝に設けることができる。
【００１２】
更に、本発明では、開閉扉の開口部側の側面と開口部奥の突き当たり面にそれぞれ、中皿部材を弾性保持する弾性部材を設けることができる。なお、開口部奥の突き当たり面は、中枠部材及び容器本体のいずれか一方に設けられた側面として構成できる。
【発明の効果】
【００１３】
本発明によれば、蓋体を開いて、容器本体と中枠部材との間に形成した開口部から中皿部材を挿入するだけで、容器本体と中枠部材との間に形成された収納空間に中皿部材を収納することができる。このため、中皿部材を収納するに際し、余計な力が不要となることで、中皿部材の装着性に優れる。
【００１４】
また、中皿部材は、容器本体と中枠部材との間に形成した開口部から容器本体と中枠部材との間に形成された収納空間に配置されることで、中皿部材は、容器本体から外れ難くなる。
【００１５】
更に、中皿部材を容器本体と中枠部材との間に形成した開口部から挿入するだけで収納できることから、多少の寸法誤差を許容することができる。このため、中皿部材が寸法誤差を生じ易い金属製である場合にも適用することができる。
【００１６】
従って、本発明によれば、材質によらずに、中皿部材の装着が容易であって、しかも、中皿部材が脱落し難い、新規なコンパクト容器を提供することができる。
【図面の簡単な説明】
【００１７】
【図１】(a)は、本発明のコンパクト容器の一形態である、化粧用コンパクト容器を示す平面図であり、(b)は、同コンパクト容器から蓋体を取り外した状態を示す平面図である。
【図２】(a)は、同コンパクト容器の容器本体を示す平面図であり、(b)は、同コンパクト容器の中枠部材をその裏側から示す底面図である。
【図３】(a)は、同コンパクト容器を蝶番側から示す側面図であり、(b)は、同コンパクト容器を開放側から示す側面図である。
【図４】図３(a)のＸ−Ｘ断面図である。
【図５】同コンパクト容器に係る、開閉扉を示す斜視図である。
【図６】同コンパクト容器に中皿部材を収納する際の状態を示す要部斜視図である。
【図７】同コンパクト容器の開口部を開閉扉で閉じた状態を示す要部斜視図である。
【発明を実施するための形態】
【００１８】
以下、図面を参照して、本発明の一形態である、化粧用コンパクト容器１を詳細に説明する。
【００１９】
図１(b)中、符号２は、矩形の容器本体である。容器本体２は、合成樹脂で構成され、その内側には、図２(a)に示すように、上面側が開放された、長溝状の凹部Ｃが形成されている。凹部Ｃは、後方に向かって延在して、容器本体２の後部分が切り欠かれることで切欠部Ｃ1を形成する。また、容器本体２には、凹部Ｃを縁取るように、段部２ｃが形成されている。
【００２０】
図１(b)中、符号３は、容器本体２に固定され、合成樹脂からなる中枠部材である。中枠部材３は、矩形の板状からなる天壁３ａを有し、この天壁３ａの外縁３ｄは、容器本体２における段部２ｃの外観形状を形作る側面２ｄに嵌合する。これにより、中枠部材３を容器本体２に嵌合させると、容器本体２の切欠部Ｃ1には、図６に示すように、開口部Ａ1が形成される。即ち、中枠部材３を容器本体２に嵌合させると、容器本体２と中枠部材３との間には、凹部Ｃに通じる開口部Ａ1が形成される。
【００２１】
また、天壁３ａには、その長手方向に沿って間隔を空けて２つの貫通孔Ａ2及びＡ3が形成されている。更に、天壁３ａには、図２(b)に示すように、その裏面３ｆから貫通孔Ａ2を取り囲むように、周壁３ｂが一体に垂下して設けられている。この周壁３ｂの外縁３ｅは、容器本体２における凹部Ｃの外観形状を形作る側面２ｅに嵌合する。これにより、凹部Ｃには、周壁３ｂで仕切られて開口部Ａ1及び貫通孔Ａ2を通して外界に開放される空間Ｒ1と、周壁３ｂで取り囲まれて貫通孔Ａ3を通して外界に開放される空間Ｒ2とが形成される。空間Ｒ2には、貫通孔Ａ3を通して、パフ等の図示せぬ塗布部材を収納することができる。
【００２２】
図４中、符号４は、「ドラム」と呼ばれる中皿部材である。中皿部材４は、底壁４ａとこの底壁４ａを取り囲む周壁４ｂからなり、その内側には、ファンデーション等の図示せぬ内容物を充填、収納する空間Ｒ3が形成される。中皿部材４は、図６に示すように、開口部Ａ1を通して空間Ｒ1に収納することができる。なお、本発明によれば、中皿部材４は、蓋の無い部材に限定されることなく、蓋付きのものも選択できる。
【００２３】
符号５は、合成樹脂からなる蓋体である。蓋体５は、図１(a)に示すように、矩形の蓋体である。蓋体５は、容器本体２に合される本体５ａを有し、図４に示すように、本体５ａの合せ面（裏面）側には、鏡Ｍが設けられている。また、本体５ａは、その後方から延長部５ｂが一体に垂下し、この延長部５ｂの先端部５ｃが２本の軸部材６を介して容器本体２に回転可能に支持されている。
【００２４】
軸部材６はそれぞれ、図３に示すように、容器本体２の後方に２つのアーム部２ｈを横幅方向に間隔を空けて設け、このアーム部２ｈの相互間に配置した蓋体５の先端部５ｃを回転可能に支持している。
【００２５】
また、容器本体２の前方（開放）側には、蓋体５を開閉するための操作部材７が設けられている。操作部材７としては、既存のものを使用することができる。例えば、本形態の操作部材７は、図３に示すように、容器本体２に回動可能に支持されている。これにより、蓋体５を閉じたとき、この蓋体５のフック部５ｐが容器本体２のフック部２ｐと嵌合することで、蓋体５の予期せぬ開放を阻止する一方、操作部材７の押圧により回動させて蓋体５のフック部５ｐを押し上げて、容器本体２のフック部２ｐとの嵌合を解除することで、蓋体５を自由に開くことができる。
【００２６】
図５中、符号８は、開口部Ａ1を開閉する開閉扉である。開閉扉８は、開口部Ａ1を閉じる板状の扉本体８ａを有し、この扉本体８ａには、その横幅方向に間隔を空けて２つのアーム８ｂが一体に設けられている。アーム８ｂにはそれぞれ、軸部材６を摺動可能に保持する軸孔８ｈが形成されている。即ち、開閉扉８は、軸部材６を介して容器本体２に回転可能に支持されている。これにより、開閉扉８は、軸部材６の周りを回転することで、図６及び図７に示すように、開口部Ａ1を開閉することができる。
【００２７】
かかる構成によれば、開閉扉８を開いて、容器本体２と中枠部材３との間に形成した開口部Ａ1から中皿部材４を挿入するだけで、容器本体２と中枠部材３との間に形成された収納空間Ｒ1に中皿部材４を収納することができる。このため、中皿部材４を収納するに際し、余計な力が不要となることで、中皿部材４の装着性に優れる。
【００２８】
また、中皿部材４は、開口部Ａ1から、容器本体２と中枠部材３との間に形成した収納空間Ｒ1に配置されることで、容器本体２から外れ難くなる。
【００２９】
更に、中皿部材４を開口部Ａ1から挿入するだけで収納できることから、多少の寸法誤差を許容することができる。このため、中皿部材４が寸法誤差を生じ易い金属製である場合にも適用することができる。
【００３０】
従って、かかる構成によれば、材質によらずに、中皿部材４の装着が容易であって、しかも、中皿部材４が脱落し難い、新規なコンパクト容器を提供することができる。
【００３１】
加えて、本形態では、図４に示すように、蓋体５の内側に、開閉扉８の扉本体８ａに接触する接触面５ｆが形成されている。接触面５ｆによれば、扉本体８ａに接触することで、蓋体５を閉じるときに開閉扉８も併せて軸部材６周りに回転させることができる。これにより、中皿部材４を交換した後、蓋体５を閉じるだけの簡単な操作で、開口部Ａ1を閉じることができる。
【００３２】
更に、本形態では、開閉扉８と容器本体２とにそれぞれ、互いに引っ掛かって着脱可能に係止される係止手段Ｆが設けられている。
【００３３】
係止手段Ｆは、扉本体８ａの横幅方向に間隔を空けて一体に設けた２つのフック部８ｃと、中枠部材３の横幅方向に間隔を空けて形成されたフック部８ｃが嵌合する２つの長溝２ｇからなる。これにより、開閉扉８を閉じると、開閉扉８は、中枠部材３に対して着脱可能に固定される。なお、係止手段Ｆは、少なくとも一組設ければよい。
【００３４】
更に、本形態では、フック部８ｃの先端部にそれぞれ、爪部８ｎが一体に設けられていると共に、長溝２ｇにも、爪部８ｎが引っ掛かって係止される爪部２ｆが一体に設けられている。これにより、開閉扉８を閉じると、開閉扉８は、中枠部材３に対して更に強固に固定される。
【００３５】
更に、本形態では、開閉扉８の開口部Ａ1側の側面８ｆと開口部Ａ1奥の突き当たり面（本形態では、中枠部材３の周壁３ｂ）にそれぞれ、中皿部材４を弾性保持する弾性部材９が設けられている。これにより、空間Ｒ1に収納された中皿部材４は、容器本体２の長手方向（軸部材６と直交する方向）にガタ付くことなく、位置決めされる。こうした弾性部材９による位置決めは、ホットメルト接着や両面テープによって中皿部材４を固定する必要がないので、中皿部材４の着脱が容易で、取り外したときに汚れることがない。このため、中皿部材４として金属製のものを採用するときに有効である。
【００３６】
なお、本形態では、中皿部材４は、その周壁４ｂが凹部Ｃを形作る側面２ｅに摺動可能に保持される。このため、本形態では、横幅方向についてのガタ付きは生じないところ、本発明に従えば、側面２ｅに弾性部材９を設けることもできる。また、弾性部材９は、ゴム、エラストマーや発泡材等の軟材質のもので構成できる。更に、開口部Ａ1奥の突き当たり面は、中枠部材３の周壁３ｂ等、中枠部材３に限定されるものではなく、例えば、容器本体２と一体に設けられた仕切壁の側面として構成することもできる。
【００３７】
上述したところは、本発明の一形態を示したにすぎず、特許請求の範囲において、種々の変更を加えることができる。例えば、本形態は、縦長のコンパクト容器で説明したが、本発明によれば、横長のコンパクト容器にも適用することができる。また、本発明のコンパクト容器は、本形態のように、塗布部材の収納空間を備えるタンデムタイプに限定されることなく、中皿部材のみのシングルタイプにも適用することができる。また、蓋体５及び開閉扉８は、軸部材６を容器本体２に固定し、軸部材６と蓋体５の先端部５ｃとの摺動抵抗により、回転するものとしているが、軸部材６の周りを回転する構成であれば、これに限定されることはない。
【産業上の利用可能性】
【００３８】
本発明は、中皿部材を収納する凹部を有する容器本体と、この容器本体の凹部との間に中皿部材の収納空間を形成する中枠部材と、容器本体に軸部材を介して回転可能に支持される蓋体とを有し、この蓋体を開いた容器本体から中皿部材の交換が可能なコンパクト容器であれば、化粧用コンパクト容器に限定されることなく、様々な用途のコンパクト容器に採用することができる。
【符号の説明】
【００３９】
１    化粧用コンパクト容器
２    容器本体
３    中枠部材
３ａ  天壁
３ｂ  周壁
４    中皿部材
５    蓋体
５ａ  蓋体本体
５ｂ  延長部
５ｃ  先端部
６    軸部材
８    開閉扉
８ａ  扉本体
８ｂ  アーム部
８ｃ  フック部
８ｆ  接触面
８ｈ  軸孔
８ｎ  爪部
９    弾性部材
【図１】
0005639000.tif 000002
【図２】
0005639000.tif 000003
【図３】
0005639000.tif 000004
【図４】
0005639000.tif 000005
【図５】
0005639000.tif 000006
【図６】
0005639000.tif 000007
【図７】
0005639000.tif 000008